(57)【要約】【課題】ダストボックスでのフィルターの清掃性を向上させた空気調和機を提供することを目的とする。【解決手段】中央に摺動方向に沿って中央桟を形成した軟質樹脂材からなる薄肉状の枠体１０ａと、同枠体１０ａ内に一体となって形成された左右一対の網部２４ａ及び２４ｂとでフィルター１０を構成するとともに、前記中央桟に、第二歯車に歯合する歯型を連続的に形成したラック２５を形成し、両側縁に厚肉部と薄肉部とを交互に連続して形成したヒンジ部２６ａ及び２６ｂを形成する。これによりフィルター１０はキャタピラ状に連続的に折曲する。【選択図】  図４
2004353900.tif 000002
【特許請求の範囲】
【請求項１】
吸込口と吹出口とを備えた本体内に送風ファンを設け、前記吸込口の裏面側に、枠体と網部とを樹脂材により一体に形成したフィルターを摺動自在に設けるとともに、同フィルターが通過する通過口を備え、その表面及び裏面に付着した塵埃を除去する除塵用ブラシを備えたダストボックスを設けてなる空気調和機において、
前記フィルターの枠部両側縁に、摺動方向に沿って直交するヒンジ部を連設してなることを特徴とする空気調和機。
【発明の詳細な説明】
【０００１】
【発明の属する技術分野】
本発明は、フィルター自動清掃装置を備えた空気調和機に関わり、より詳細には、フィルターに摺動方向に沿って柔軟性を付加し清掃効率を向上させた構成に関する。
【０００２】
【従来の技術】
従来の空気調和機も基本的な構成は本願と同一であるので、図２を用いて説明する。図２で示す空気調和機は、ベース１と下部パネル２と上部パネル３とで本体を構成し、同本体の上面に吸込口４を設けるとともに、下面前部に風向偏向板５ａを備えた吹出口５を設けている。前記吸込口４と前記吹出口５とを結ぶ空気通路には後方に傾斜した前部熱交換器６ａと前方に傾斜した後部熱交換器６ｂとからなり逆Ｖ字状に形成された熱交換器６と、同熱交換器６により熱交換された空気を室内に送出する送風ファン７とが設けられている。
【０００３】
前記吸込口４の裏面には、吸込まれた空気に含有される塵埃を補集、吸着するフィルターが装着され、本体の内部前方には前記フィルターが通過する通過口を前後に備え、これを前後に駆動する駆動装置を下部に装着したダストボックスが設けられている。
【０００４】
前記フィルター３０は、図５（Ａ）で示すように、中央に梁を備える一方、両側端にレールを形成した枠体３１と、同枠体３１内に一体に形成された左右一対の網部３２ａ及び３２ｂとからなり、前記ダストボックス３５は図５（Ｂ）で示すように、前後端に通過口３５ａ及び３５ｂを備え、内部に相対向するブラシ３７及び３９を備えており、これらブラシはスプリング３８及びスプリング４０により上下方向に付勢されるようになっている。前記フィルター３０が前記ダストボックス３５内を通過すると、その表面に付着した塵埃を除去されるようになっている。
【０００５】
しかしながら、前記フィルター３０は湾曲状の経路を通り前記ダストボックス３５を通過し本体外に引出されるため、上側に配置された前記ブラシ３７には強く接触するが、下側に配置された前記ブラシ３９との接触が弱くなり、下面に付着した塵埃を的確に除去できない場合があり、対応策が求められていた。
【０００６】
【発明が解決しようとする課題】
本発明は上記問題点に鑑み、ダストボックス内に上下に備えられたブラシに、フィルターの上面及び下面が均等な接触圧であたるようにして、上面に付着した塵埃と下面に付着した塵埃とを偏りなく除去できるようにした空気調和機を提供することを目的とする。
【０００７】
【課題を解決するための手段】
本発明は上記課題を解決するため、吸込口と吹出口とを備えた本体内に送風ファンを設け、前記吸込口の裏面側に、枠体と網部とを樹脂材により一体に形成したフィルターを摺動自在に設けるとともに、同フィルターが通過する通過口を備え、その表面及び裏面に付着した塵埃を除去する除塵用ブラシを備えたダストボックスを設けてなる空気調和機において、
前記フィルターの枠部両側縁に、摺動方向に沿って直交するヒンジ部を連設してなる構成となっている。
【０００８】
【発明の実施の形態】
以下、本発明の実施の形態を、添付図面に基づいた実施例として詳細に説明する。
図１は本発明による空気調和機がフィルターを前面に引き出した状態を示す斜視図であり、図２は本体の断面図である。図３はダクトボックスの断面図であり図４はフィルターを示す斜視図である。
本発明による空気調和機は、図１及び図２で示すように、壁面に据付けられるベース１と、同ベース１の上面前部に装着され前端から後端近傍に至り吸込口４を形成した上部パネル３と、下面前部に装着され複数の風向偏向板５ａを備える吹出口５を形成した下部パネル２とで本体を構成している。
【０００９】
前記吸込口４と前記吹出口５とを結ぶ空気通路には後方に傾斜した前部熱交換器６ａと前方に傾斜した後部熱交換器６ｂとからなり逆Ｖ字状に形成された熱交換器６と、同熱交換器６により熱交換された空気を室内に送出する送風ファン７とが設けられ、又前記前部熱交換器６ａと前記後部熱交換器６ｂの下方には、これらから滴下する凝縮水を受ける露受皿８が設けられている。
【００１０】
前記吸込口４の裏面には、吸込まれた空気に含有される塵埃を吸着するフィルター１０が前後摺動自在に装着され、本体の内部前方には前記フィルター１０が通過する通過口を前後に備えたダストボックス１１が設けられ、又その下部には前記フィルター１０を本体の前面側に引出すとともに、同本体内に自動的に収納する駆動装置１２が設けられている。また、前記上部パネル３の前端と前記下部パネル３の前端との間には、前記フィルター１０が本体前面に挿脱自在となるようにスリット状の挿脱口９が形成されている。
【００１１】
前記ダストボックス１１は、図３で示すように、上下に２分割された上部ボックス１１ａと下部ボックス１１ｂとからなり、これらの接合部前端と後端には前記フィルター１０が通過するスリット状の通過口１１ｃ及び１１ｄが形成されている。前記上部ボックス１１ａには内壁前部の支軸部１５ａに回動自在に軸支されて基部１５と同基部１５の前部及び後部に植設されたブラシとからなる第一ブラシ１３と第二ブラシ１４とが設けられ、前記基部１５と前記上部ボックス１１ａの上部内壁との間には上述したブラシを下方に付勢するスプリング１６が介挿されている。前記下部ボックス１１ｂには、下部内壁から立設され支軸部１８ａを備えたリブ１８に回動自在に軸支されて基部に上方に向かいブラシを植設した第三ブラシ１７が設けられ、同基部と下部内壁との間には前記第三ブラシ１７を上方に付勢するスプリング１９が設けられている。
【００１２】
前記下部ボックス１１ｂの下部壁前部には開口部が設けられ、同開口部に連通するように前記下部ボックス１１ｂの下面には方形状の筐体１２ａと、同筐体１２ａ内に収納された駆動部とからなる駆動装置１２が設けられている。駆動部は前記筐体１２ａ内に固定され回転軸にピニオン歯車２２を嵌着した駆動モータ２３と、前記ピニオン歯車２２に歯合する大径の第一歯車２１と、同第一歯車２１に歯合するとともに、後述する前記フィルター１０の裏面に形成された直線状のラックと歯合する小径の第二歯車２０とから構成されている。
【００１３】
前記フィルター１０は、図４の裏面側からの斜視図で示すように、中央に摺動方向に沿って中央桟を形成した軟質樹脂材からなる薄肉状の枠体１０ａと、同枠体１０ａ内に一体となって形成された左右一対の網部２４ａ及び２４ｂとからなり、前記中央桟には、上記したように前記第二歯車２０に歯合する歯型を連続的に形成したラック２５が形成されている。又、前記枠体１０ａの両側縁裏面には摺動方向と直交するように、厚肉部と薄肉部とを交互に連続して形成したヒンジ部２６ａ及び２６ｂが設けられている。同ヒンジ部２６ａ及び２６ｂとにより前記枠体１０ａは強度を保持できるとともに、前後方向に折曲自在且つ柔軟性を保持できるようになっている。
【００１４】
次に、動作について説明する。長期間の運転を経て、前記フィルター１０に塵埃が蓄積した際は、前記駆動装置１２により前記フィルター１０を図１で示すように前記挿脱口９から前面に引き出す。同駆動装置１２の駆動モータ２３を始動させると前記第一歯車２１と前記第二歯車２０とが連係して回動し、同第二歯車２０に前記ラック２５を歯合させた前記フィルター１０は前面側に引き出されるようになっている。この際、図３で示すように、前記ダストボックス１１内を湾曲状の経路を辿って通過する前記フィルター１０は、前記ヒンジ部２６ａ及び２６ｂの作用によりキャタピラ状に折曲することにより断面が湾曲状から直線状となって前記ダストボックス内を通過するようになる。直線状となって通過することにより、前記上部ブラシ１３及び１４からの接触圧と、前記下部ブラシ１７からの接触圧がほぼ均等となり前記フィルター１０の上面に付着した塵埃と、下面に付着した塵埃とが偏りなく除去できるようになっており、清掃効率を向上できるようになっている。
【００１５】
【発明の効果】
以上説明したように、本発明によると、フィルターを構成する枠体の両側縁に一対となってヒンジ部を連設することにより、ダストボックスを通過する際、直線状となって通過し、これにより上部ブラシと下部ブラシとの接触圧が均等となってフィルターの上面と下面とを偏りなく清掃できる空気調和機とすることができる。
【図面の簡単な説明】
【図１】本発明による空気調和機を示す外観斜視図である。
【図２】本発明による空気調和機の断面図である。
【図３】ダストボックスを示す断面図である。
【図４】フィルターの裏面側を示す斜視図である。
【図５】（Ａ）は従来のフィルターを示す斜視図である。（Ｂ）は従来のダストボックスを示す断面図である。
【符号の説明】
１  ベース
２  下部パネル
３  上部パネル
４  吸込口
５  吹出口
５ａ  風向偏向板
６  熱交換器
６ａ  前部熱交換器
６ｂ  後部熱交換器
７  送風ファン
８  露受皿
９  挿脱口
１０  フィルター
１０ａ  枠体
１１  ダストボックス
１１ａ  上部ボックス
１１ｂ  下部ボックス
１１ｃ，１１ｄ  通過口
１２  駆動装置
１２ａ  筐体
１３  第一ブラシ
１４  第二ブラシ
１５  基部
１５ａ  支軸部
１６  スプリング
１７  第三ブラシ
１８  リブ
１８ａ  支軸部
１９  スプリング
２０  第二歯車
２１  第一歯車
２２  ピニオン歯車
２３  駆動モータ
２４ａ，２４ｂ  網部
２５  ラック
２６ａ，２６ｂ  ヒンジ部
【図１】
2004353900.tif 000003
【図２】
2004353900.tif 000004
【図３】
2004353900.tif 000005
【図４】
2004353900.tif 000006
【図５】
2004353900.tif 000007